(57)【特許請求の範囲】
【請求項１】
照光窓をもつ照光窓付きパネル、
前記パネルの裏面側に設けられ、発光素子が組付けられている基板、
曲折部分をもち一端の受光面にて前記発光素子からの光を受光し、前記曲折部分を経て他端の照光面へ光を導く導光部材、及び
前記照光面の周縁部が前記照光窓付きパネルの前記照光窓に嵌合した状態で該導光部材の位置を保持するように、導光部材を付勢する付勢部材、
を備え、
前記導光部材の屈折部分及び照光側部分を挿入可能とする挿入空間が前記照光窓付きパネルにおける照光窓の裏面側に形成され、
前記付勢部材は、前記導光部材に組付けられていて前記挿入空間へ前記導光部材と一体で挿入されるとともに脚部分の弾力変形により前記挿入空間へ挿入されて前記挿入空間内で前記脚部分を復元力により拡開して前記導光部材の照光部を前記照光窓に嵌合させるＵ字状板ばね部材であり、
前記基板の前記発光素子側の面又は前記Ｕ字状板ばねの頂面には、前記基板の組付けに伴い前記Ｕ字状板ばね部材の頂面を前記脚部分の方へ押し込む突出部が形成されていることを特徴とする照光部を有する電子機器。
【請求項２】
照光窓をもつ照光窓付きパネル、
前記パネルの裏面側に設けられ、発光素子が組付けられている基板、
曲折部分をもち一端の受光面にて前記発光素子からの光を受光し、前記曲折部分を経て他端の照光面へ光を導く導光部材、及び
前記照光面の周縁部が前記照光窓付きパネルの前記照光窓に嵌合した状態で該導光部材の位置を保持するように、導光部材を付勢する付勢部材、
を備え、
前記導光部材の屈折部分及び照光側部分を挿入可能とする挿入空間が前記照光窓付きパネルにおける照光窓の裏面側に形成され、
前記付勢部材は、前記導光部材と一体成形されていて前記挿入空間へ前記導光部材と一体で挿入されるとともに脚部分の弾力変形により前記挿入空間へ挿入されて前記挿入空間内で前記脚部分を復元力により拡開して前記導光部材の照光部を前記照光窓に嵌合させるＵ字状板ばね部材であり、
前記基板の前記発光素子側の面又は前記Ｕ字状板ばねの頂面には、前記基板の組付けに伴い前記Ｕ字状板ばね部材の頂面を前記脚部分の方へ押し込む突出部が形成されていることを特徴とする照光部を有する電子機器。
【発明の詳細な説明】
【技術分野】
【０００１】
本発明は、所望位置の照光部へ光を導く導光部材を備えている照光部を有する電子機器に関する。
【背景技術】
【０００２】
近年、電子機器においてはその動作状態をユーザ側に報知するためや、外観上の演出等のために照光部を設けて、ＬＥＤ（Light Emitting Diode：発光ダイオード）等の光源から発せられる光によって発光させるものがある。そのような電子機器においては、パネルの裏側に光源を組付けた基板が設けられ、光源からの光をパネル上の照光部に照射することで照光部を発光させている。
【０００３】
そして、パネルの形状や照光窓の設置位置によって、基板上に搭載される光源から直接照光窓へと光を照射することが困難な場合がある。そのような場合には基板上に設置される光源からの光を照光部へと導くことが必要となる。
【０００４】
特許文献１は、プリント基板上の発光素子からの光を所望位置へ導いて、該所望位置から光を照射する導光部材を開示する。該導光部材は、中間に屈曲部を有し、一端の受光面からの光を屈曲部において反射させて他端の照光面へ導いている（特許文献１の図２）。
【０００５】
特許文献２は導光部材を装備する加熱調理器を開示している。該調理器では、導光部材の照光面が外部に露出するように、照光側の端がケースの照光窓に嵌入されているとともに、受光側の端部は、照光側の端部に対して直角方向へ延びて、基板上の起立部材（特許文献１の図４及び図５の符号１７）の挿入孔内へ嵌合して、固定されている。
【０００６】
図７は車載ＡＶ装置の正面パネル３３における照光部の位置を例示している。なお、図７〜図１１の参照部位において、後述の本発明の実施例における参照部位と同一のものは本発明の実施例におけるものと同一符号で指示して、説明は省略し、主要点のみを説明する。正面パネル３３には、ディスプレイ用の液晶パネルを嵌め込まれる開口８１や、ＤＶＤ等のディスクが出入りするスロット８２が形成されている。照光部８４は、スロット８２内の左右の両端部に横向きにそれぞれ配備されている。照光部８５は、正面パネル３３を正面から見て、正面パネル３３の左側の縦辺部の左側面に横向きに配備されている。
【０００７】
図８は照光部へ光を導く導光部材８８の従来の組付け方法について説明図である。図７の照光部８４，８５は照光窓３６の位置に配備されている。正面パネル３３は突出壁部８９を備え、該突出壁部８９は側面パネル部分３４に対して平行に背面方向へ正面パネル部分３５から突出している。導光部材８８は、図８（ａ）に図示するように、側面パネル部分３４と突出壁部８９との間の空間にその背面側から挿入されてから、照光窓３６の方へ（図８（ａ）の矢印方向）動かされ、図８（ｂ）に図示するように、照光面１９の周縁部を照光窓３６へ嵌合させる。基板４２は、突出壁部８９に突出端に当たる位置で組付けられる。なお、導光部材８８の照光面１９の近傍部分は幅狭となっており（例：後述の図１の幅狭部２０）、この幅狭の基端に形成される段部が照光窓３６の周縁に側面パネル部分３４の内面側から当接することにより、照光面１９が照光窓３６から突出するのを阻止している。
【０００８】
導光部材８８は、照光面１９の周縁部を照光窓３６に嵌合した状態で、受光面１８が、基板４２のＬＥＤ４３からの光を的確に入射されるように、固定されている必要がある。導光部材８８についての従来の種々の固定態様を、図９〜図１１を参照して説明する。
【０００９】
図９は導光部材９１をねじや溶着により固定する場合の組付け過程の説明図である。導光部材９１は、側面パネル部分３４とは反対方向へ所定長さ、突出する張出し部９２を有している。正面パネル３３は突出壁部８９を有し、該突出壁部８９は、左右方向へ側面パネル部分３４と突出壁部８９との間の所定位置に背面方向へ正面パネル部分３５から隆起している。図９（ａ）に図示するように、導光部材９１は、照光面１９を側面パネル部分３４の方へ向けつつ、正面方向（図９（ａ）の矢印方向）へ動かされる。次に、図９（ｂ）に示すように、照光窓３６の方向（図９（ｂ）の矢印方向）へ動かされて、図９（ｃ）に図示するように、照光面１９の周縁部を照光窓３６へ嵌合させる。その後、ねじ９５を張出し部９２の長孔（図示せず）に挿通させてから、ボス部９３に螺着し、張出し部９２をボス部９３に固定する。ねじ９５に代えて、溶着により張出し部９２を正面パネル部分３５に固定することもできる。
【００１０】
図１０は導光部材９８を強嵌合により固定する場合の組付け過程の説明図である。正面パネル部分３５の背面側には、突出壁部１００が立設されている。突出壁部１００は、側面パネル部分３４側に斜面１０１と垂直面１０２とを有している。斜面１０１は、導光部材９８が背面側から側面パネル部分３４と突出壁部１００との間の空間へ挿入される際に、導光部材９８の屈曲部分１７の凸側の傾斜面と平行になる傾斜角度で形成されている。垂直面１０２は、側面パネル部分３４の内面に対して平行に突出壁部１００の基端部に形成され、斜面１０１へ連なっている。
【００１１】
図１０（ａ）に図示するように、導光部材９８は、照光面１９を側面パネル部分３４の方へ向けつつ、正面パネル部分３５の方へ（図１０（ａ）の矢印方向）動かされる。図１０（ｂ）に図示するように、屈曲部分１７の斜面か斜面１０１に当接した後も、導光部材９８をなおも正面パネル部分３５の方へ向かう力Ｆ５で押し込むと、導光部材９８は、所定の弾性変形自在の樹脂製であるので、弾性変形しつつ、屈曲部分１７の斜面部は斜面１０１を滑り、図１０（ｃ）に図示するように、屈曲部分１７を垂直面１０２の方へ押し込まれるとともに、弾性変形に対する復元力により照光面１９の周縁部を照光窓３６に嵌合させつつ、側面パネル部分３４と垂直面１０２との間に係合する。
【００１２】
図１１はパネルを分割構造にして導光部材９８を固定する場合の組付け過程の説明図である。正面パネル部分１０７は、側面パネル部分３４と一体で製作されており、突出壁部１１０が正面パネル部分１０７の背面側に突設される。基板４２は、突出壁部１１０の先端に当接するように側面パネル部分３４及び正面パネル部分１０７に組付けられている。次に、導光部材１０５は、正面側から側面パネル部分３４と突出壁部１１０との間の空間へ正面側から（図１１（ａ）の矢印方向）挿入され、図１１（ｂ）に図示するように、側面パネル部分３４の照光窓３６に照光面１９の周縁部を一部分を当てられる。図１１（ｃ）に図示するように、化粧パネル１０８は、正面パネル部分１０７の方へ突出する突出壁部１１２を備えている。化粧パネル１０８は、突出壁部１１２の先端が正面パネル部分１０７に当接するように、かつ突出壁部１１２が導光部材１０５を側面パネル部分３４の方へ押しやるように、正面パネル部分１０７に正面側から組付けられる。こうして、導光部材１０５の照光面１９の周縁部は照光窓３６に保持される。
【特許文献１】特開平１０−１４２４２６号公報
【特許文献２】特開２００７−１２３０７５号公報
【発明の開示】
【発明が解決しようとする課題】
【００１３】
導光部材について従来の固定方法のそれぞれの問題点について述べる。
【００１４】
図９のねじ留め及び溶着による固定方法の場合、導光部材９１や正面パネル３３にねじ止めや溶着部位を確保する構造が必要になり、構造が大型化する。また、ねじ回しや溶着用治具が必要になる。溶着の場合には、導光部材９１を溶着により一度固定すると、導光部材９１の取り外しが困難になる。
【００１５】
図１０の強嵌合による固定方法の場合、嵌合が緩いと、導光部材９８のがたつきや異音を生じさせてしまう。また、嵌合が強過ぎると、導光部材９８に傷や白化が生じる。導光部材９８は固定後、取り外しが困難となる。
【００１６】
図１１のパネル分割による固定方法の場合、化粧パネル１０８が正面パネルとは別途に必要になり、コスト高やスペース増につながる。
【００１７】
特許文献２における導光部材の固定方法では、発光素子付き基板の組付けが先に行なわれ、その後に、発光素子付き基板に導光部材及び照光窓付きのカバーを組付けていく場合には、導光部材を円滑に固定することができるが、導光部材を挿入空間形成部に組付けてから、基板を最後に組付ける場合には、導光部材の受光側端部が基板の裏に隠れてしまい、該受光側端部を基板上の挿通孔に的確に嵌合させて固定することができない。
【００１８】
本発明の目的は、導光部材を支障なく固定することができるとともに、ねじや治具を必要とせず、スペース増大につながらず、がたつきや異音発生を起こさず、さらに、パネル分割も必要としない照光部を有する電子機器を提供することである。
【課題を解決するための手段】
【００１９】
本発明によれば、付勢部材が利用される。該付勢部材は、導光部材に別体であって、導光部材に組みつけられるものであってもよいし、導光部材と一体に成形されるものであってもよい。付勢部材は、導光部材を付勢して、導光部材の照光面の周縁部を照光窓への嵌合状態の位置に保持する。
【００２０】
本発明の照光部を有する電子機器は、照光窓をもつ照光窓付きパネル、前記パネルの裏面側に設けられ、発光素子が組付けられている基板、曲折部分をもち一端の受光面にて前記発光素子からの光を受光し、前記曲折部分を経て他端の照光面へ光を導く導光部材、及び前記照光面の周縁部が前記照光窓付きパネルの前記照光窓に嵌合した状態で該導光部材の位置を保持するように、導光部材を付勢する付勢部材、を備え、前記導光部材の屈折部分及び照光側部分を挿入可能とする挿入空間が前記照光窓付きパネルにおける照光窓の裏面側に形成され、前記付勢部材は、前記導光部材に組付けられていて前記挿入空間へ前記導光部材と一体で挿入されるとともに脚部分の弾力変形により前記挿入空間へ挿入されて前記挿入空間内で前記脚部分を復元力により拡開して前記導光部材の照光部を前記照光窓に嵌合させるＵ字状板ばね部材であり、前記基板の前記発光素子側の面又は前記Ｕ字状板ばねの頂面には、前記基板の組付けに伴い前記Ｕ字状板ばね部材の頂面を前記脚部分の方へ押し込む突出部が形成されている。
本発明の照光部を有する別の電子機器は、照光窓をもつ照光窓付きパネル、前記パネルの裏面側に設けられ、発光素子が組付けられている基板、曲折部分をもち一端の受光面にて前記発光素子からの光を受光し、前記曲折部分を経て他端の照光面へ光を導く導光部材、及び前記照光面の周縁部が前記照光窓付きパネルの前記照光窓に嵌合した状態で該導光部材の位置を保持するように、導光部材を付勢する付勢部材、を備え、前記導光部材の屈折部分及び照光側部分を挿入可能とする挿入空間が前記照光窓付きパネルにおける照光窓の裏面側に形成され、前記付勢部材は、前記導光部材と一体成形されていて前記挿入空間へ前記導光部材と一体で挿入されるとともに脚部分の弾力変形により前記挿入空間へ挿入されて前記挿入空間内で前記脚部分を復元力により拡開して前記導光部材の照光部を前記照光窓に嵌合させるＵ字状板ばね部材であり、前記基板の前記発光素子側の面又は前記Ｕ字状板ばねの頂面には、前記基板の組付けに伴い前記Ｕ字状板ばね部材の頂面を前記脚部分の方へ押し込む突出部が形成されている。
【発明の効果】
【００２１】
本発明によれば、導光部材は、パネル部分の照光窓への照光面の周縁部の嵌合状態において、付勢部材により付勢されて、位置を保持されるので、ねじや治具を必要とせず、スペース増大につながらず、がたつきや異音発生を起こさず、さらに、パネル分割も必要とせずに、また、適宜、取り外し自在に、導光部材を固定することができる。
【発明を実施するための最良の形態】
【００２２】
図１及び図２は照光面１９側及び反照光面１９側において受光面１８を斜めに見る位置から導光アセンブリ１０を見た斜視図である。説明の便宜上、図１〜図４において、それらの図の上下方向を導光アセンブリ１０の上下方向、照光面１９側を正面、反照光面１９側を背面と、それぞれ呼ぶことにする。導光アセンブリ１０は導光部材１１及び板ばね１２を組付けたものから成る。
【００２３】
導光部材１１は、例えば透光性樹脂から成り、側面視がＬ字状（厳密には左側面視がＬ字状、右側面視がＬを左右反転させた字状）の形状を有している。導光部材１１において、受光側部分１５及び照光側部分１６は相互に直角方向へ中間の屈曲部分１７からそれぞれ上方及び正面方向へ突出している。受光側部分１５及び照光側部分１６の端面はそれぞれ受光面１８及び照光面１９になっている。照光側部分１６は、照光面１９の近傍部分において幅狭部２０となっている。光は、受光面１８から導光部材１１内へ入射し、屈曲部分１７における４５°の傾斜面で直角に反射し、照光面１９へ進んで、照光面１９から放射される。
【００２４】
板ばね１２は、導光部材１１を左右から挟むように、１対のばね部２３ａ，ｂを有し、例えば金属板の加工製品から成る。板ばね１２は、Ｕ字の外側の面部を正面側、背面側又は上方へ向け、板厚部を左右方向へ向けている。ばね部２３ａ，ｂは、同一構造であり、側面視がほぼ逆Ｕ字状、すなわちＵ字を上下反転した字状になっている。ばね部２３ａ，ｂは、上下方向へ延びる両端部の脚部２４と、脚部２４の上端同士を上側において連結する弾性連結部２５とを有している。結合板部２８は、導光部材１１の背面側において左右方向へ延び、背面側の脚部２４の下端部を相互に結合している。正面側の脚部２４は、張出し端２９において幅狭部２０の基端に接触するまで、下端部において幅狭部２０の方へ張出している。また、張出し部の張出し端２９側の部分は、幅狭部２０の形成によってできた照光側部分１６の肩部に内面側を当てられて接着等により固着されている。
【００２５】
図３及び図４は導光アセンブリ１０の正面図及び側面図である。脚部２４の下端はその高さを照光側部分１６の下面の高さにほぼ揃えられている。弾性連結部２５の頂面の高さは受光面１８の高さにほぼ揃えられている。弾性連結部２５の頂面が受光面１８より高過ぎると、基板４２のＬＥＤ４３（図５（ｃ））と受光面１８との距離が増大して、ＬＥＤ４３からの光の漏れ量が増大してしまう。逆に弾性連結部２５の頂面が受光面１８より低過ぎると、板ばね１２のばね力が弱くなってしまう。
【００２６】
図５は正面パネル３３への導光アセンブリ１０の組付け過程の説明図である。なお、図１〜図４では、導光アセンブリ１０の正面方向を照光面１９の向いた方向としたのに対し、図５の構成説明では、図７〜図１１の説明と同様に、正面パネル３３の向いている方向を正面方向と呼ぶことにする。図５の下方向は正面パネル３３の正面方向、上方向は正面パネル３３の背面方向、左右方向は正面パネル３３の左右方向に対応する。
【００２７】
側面パネル部分３４及び正面パネル部分３５は、正面パネル３３の側面及び正面の部分をそれぞれ構成する。照光窓３６は、側面パネル部分３４の正面パネル部分３５側の端縁部に形成されている。突出壁部３７は、側面パネル部分３４の内面に対して平行に正面パネル部分３５から背面方向へ所定長さ、突出している。アセンブリ挿入空間３８は、側面パネル部分３４と突出壁部３７との間に形成される。突出壁部３７は、図５では、側面パネル部分３４に対する対峙壁しか図示されていないが、実際の突出壁部３７は、アセンブリ挿入空間３８の側面パネル部分３４側を除く周囲を包囲するようになっていてもよい。
【００２８】
図５（ａ）に図示するように、導光アセンブリ１０は、アセンブリ挿入空間３８への挿入に先立ち、受光面１８及び照光面１９をそれぞれ左方及び背面方向へ向けた姿勢にされて、かつ板ばね１２の脚部２４を左右方向から力Ｆ１で押圧されて、脚部２４を縮閉された状態にされる。脚部２４が縮閉状態になっている時の板ばね１２の左右方向寸法は、例えば、図５（ｂ）に示されるＬ１である。また、板ばね１２の左右方向寸法がＬ１にある時の導光アセンブリ１０の左右方向寸法は、アセンブリ挿入空間３８の左右方向寸法Ｌ２（図５（ｃ））のそれよりも小となっている。なお、板ばね１２が外力から開放された時、すなわち脚部２４が縮閉状態から元の状態へ復元した時の板ばね１２の左右方向寸法は、復元力確保のためにＬ２より十分に大とされる。
【００２９】
次に、導光アセンブリ１０を図５（ａ）の状態に保持しつつ、図５（ｂ）に図示するように、正面方向の力Ｆ２を導光アセンブリ１０に作用させて、導光アセンブリ１０をアセンブリ挿入空間３８内へ背面側から挿入する。脚部２４の先端がアセンブリ挿入空間３８内へ挿入された後は、力Ｆ１を解除してもよい。力Ｆ１が解除されると、反照光面１９側の脚部２４は、突出壁部３７に当接するが、導光アセンブリ１０への力Ｆ２により、導光アセンブリ１０は、反照光面１９側の脚部２４を突出壁部３７に摺動させつつ、正面方向へ移動する。
【００３０】
図５（ｃ）に図示するように、脚部２４の先端が正面パネル部分３５の面に当接すると、照光面１９は照光窓３６に対峙する位置になり、導光部材１１は、板ばね１２の復元力により左方へ移動して、照光面１９の周縁部としての幅狭部２０は照光窓３６に嵌合する。この後は、照光面１９側の脚部２４及び反照光面１９側の脚部２４は、それぞれ側面パネル部分３４及び突出壁部３７に係合状態になり、この係合により導光アセンブリ１０は位置を保持される。
【００３１】
基板４２は、ＬＥＤ４３を組付けられている。アセンブリ挿入空間３８への導光アセンブリ１０の組付け後、図５（ｃ）に図示するように、基板４２は正面パネル３３に組付けられる。基板４２の組付け後は、ＬＥＤ４３は受光面１８に対峙する位置となり、通電によるＬＥＤ４３の発光時では、その光が受光面１８へ入射し、導光部材１１内を照光面１９へ導かれて、照光面１９から側面パネル部分３４の外面側へ照射される。
【００３２】
なお、正面パネル３３に一旦、組付けた導光アセンブリ１０をアセンブリ挿入空間３８から抜き取る場合には、ドライバの先端等をアセンブリ挿入空間３８内へ差し込んで、板ばね１２のばね力に抗して脚部２４を縮閉し、照光面１９の幅狭部２０を照光窓３６から抜き出してから、フック等を使って、導光アセンブリ１０をアセンブリ挿入空間３８の背面側から引き抜く。
【００３３】
図６はパネルへの導光アセンブリ１０の組付け時に板ばね１２の拡開力を増大させる構造を示している。１対の突起４６が、ＬＥＤ４３が組付けられている面と同一の面側でかつＬＥＤ４３の両側に基板４２に形成又は取付けられている。導光アセンブリ１０の組付け時では、各突起４６の突出端が各弾性連結部２５の頂面に当接して、弾性連結部２５を正面方向へ押し込む。これにより、板ばね１２の拡開力が増大し、アセンブリ挿入空間３８内における板ばね１２よる導光アセンブリ１０の位置の保持力が増大する。
【００３４】
図６では、突起４６が基板４２に形成されているが、突起４６に代えて、弾性連結部２５の頂面に、基板４２の方へ突出する突起等を形成してもよい。弾性連結部２５の頂面の突起等は、基板４２の組付け後、基板４２の板面に当接して、アセンブリ挿入空間３８の方へ押し込まれ、これにより、板ばね１２の拡開力が増大する。
【００３５】
本発明と図１〜図６の具体的構成との関係について述べる。
【００３６】
本発明の照光部を有する電子機器は、照光窓付きパネル、基板、発光素子、導光部材、及び付勢部材を備えている。これら照光窓付きパネル、基板、発光素子導光部材、挿入空間形成部及び付勢部材の具体例はそれぞれ側面パネル３４、基板４２、ＬＥＤ４３、導光部材１１、及び板ばね１２である。
【００３７】
照光窓付きパネルは照光窓をもつ。基板は、パネルの裏面側に設けられ、発光素子が組付けられている。導光部材は、曲折部分をもち一端の受光面にて発光素子からの光を受光し、曲折部分を経て他端の照光面へ光を導く。付勢部材は、照光面の周縁部が照光窓付きパネルの照光窓に嵌合した状態で該導光部材の位置を保持するように、該光部材を付勢する。
【００３８】
導光部材１１は曲折部分を１つしか有していないが、本発明の導光部材は曲折部分を複数、有していてもよい。曲折部分が複数である場合には、導光部材を受光側部分と照光側部分とに分ける曲折部分は、複数の曲折部分の内の所定の１つとなる。本発明の導光部材の曲折部分は、その屈曲角が直角以外であってもよいし、また、直線的な屈曲に限定されず、曲線的な曲がりとなっていてもよい。
【００３９】
典型的には、導光部材の屈折部分及び照光側部分を挿入可能とする挿入空間が照光窓付きパネルにおける照光窓の裏面側に形成される。また、付勢部材は、挿入空間内に配設されたものである。
【００４０】
挿入空間は、例えば、照光窓付きパネルの裏面側の挿入空間形成部により画定される。挿入空間形成部の具体例は突出壁部３７である。挿入空間は、その全周を画定されている必要はない。挿入空間は、照光窓付きパネルと挿入空間形成部との相互の対峙部分のみにより画定されているだけでもよい。
【００４１】
好ましくは、付勢部材は、導光部材に組付けられていて挿入空間へ導光部材と一体で挿入されるものである。しかしながら、付勢部材は、導光部材に組付けられていなくてもよい。挿入空間へ導光部材の挿入後に、付勢部材が挿入空間へ挿入されたり、挿入空間への導光部材の挿入前に、付勢部材が予め挿入空間内に配設されたりしいるものであってもよい。
【００４２】
典型的には、付勢部材は、弾力変形部材であり、弾力変形により挿入空間へ挿入されて、挿入空間内での復元力により付勢力を生じる。すなわち、付勢部材は、ばねに限定されず、ゴムのような弾性体であってもよい。
【００４３】
好ましくは、付勢部材は、挿入空間内で脚部分を拡開する方向の付勢力を発生するＵ字状板ばね部材である。しかしながら、付勢部材は、コイルばねであったり、Ｕ字以外の形状の板ばねであったりしてもよい。また、板ばね１２は、導光部材１１に対する付勢部分を側面パネル部分３４側及び突出壁部３７側に有しているが、本発明の付勢部材は、例えば導光部材１１に対して突出壁部３７側のみに配設されて、導光部材１１を側面パネル部分３４の方への一方向のみ付勢するようになっていてもよい。
【００４４】
また、上記の実施形態では、導光部材１１と板ばね１２を別部材として構成しているが、例えば、板ばね１２に相当するばね性部材を透光性樹脂等にて導光部材と一体成形する構成としてもよい。その場合は、樹脂の弾性を利用したばね形状とすることが好ましい。
【００４５】
本発明の照光部を有する電子機器は基板部材及び突出部を備えることができる。基板部材には、発光素子が組付けられている。突出部は、基板部材の発光素子側の面又はＵ字状板ばねの頂面に形成され基板部材の組付けに伴いＵ字状板ばね部材の頂面を脚部分の方へ押し込む。基板部材及び突出部の具体例は図６の基板４２及び突起４６である。発光素子はＬＥＤに限定されない。
【００４６】
本明細書は様々な発明を開示している。それら発明は、発明の最良の形態の項で説明した各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００４７】
【図１】照光面側において受光面を斜めに見る位置から導光アセンブリを見た斜視図である。
【図２】反照光面側において受光面を斜めに見る位置から導光アセンブリを見た斜視図である。
【図３】導光アセンブリの正面図である。
【図４】導光アセンブリの側面図である。
【図５】正面パネルへの導光アセンブリの組付け過程の説明図である。
【００４８】
【図６】パネルへの導光アセンブリの組付け時に板ばねの拡開力を増大させる構造を示す図である。
【図７】車載ＡＶ装置の正面パネルにおける照光部の位置を例示す図である。
【図８】照光部へ光を導く導光部材の従来の組付け方法について説明図である。
【図９】導光部材をねじや溶着により固定する場合の組付け過程の説明図である。
【図１０】導光部材を強嵌合により固定する場合の組付け過程の説明図である。
【図１１】パネルを分割構造にして導光部材を固定する場合の組付け過程の説明図である。
【符号の説明】
【００４９】
１１：導光部材、１２：板ばね、１５：受光側部分、１６：照光側部分、１７：屈曲部分、１８：受光面、１９：照光面、２０：幅狭部、２３：ばね部、２４：脚部、２５：弾性連結部、３３：正面パネル、３４：側面パネル部分、３６：照光窓、３７：突出壁部、３８：アセンブリ挿入部、４２：基板、４３：ＬＥＤ、４６：突起。
【図１】
0005045406.tif 000002
【図２】
0005045406.tif 000003
【図３】
0005045406.tif 000004
【図４】
0005045406.tif 000005
【図５】
0005045406.tif 000006
【図６】
0005045406.tif 000007
【図７】
0005045406.tif 000008
【図８】
0005045406.tif 000009
【図９】
0005045406.tif 000010
【図１０】
0005045406.tif 000011
【図１１】
0005045406.tif 000012